(57)【要約】【課題】無駄な電力消費を抑制することができる撮影装置を提供することを目的とする。【解決手段】デジタルカメラ１０は、撮影毎に撮影場所が異なる可能性が比較的高い第１の撮影モードの場合には、撮影する毎に携帯端末５０から位置情報を取得して撮影画像と関連付けて記録し、撮影毎に撮影場所が同じである可能性が比較的高い第２の撮影モードの場合には、最初の撮影時に取得した位置情報を２枚目以降の撮影画像と関連付けて記録する。携帯端末５０は、デジタルカメラ１０から要求があった場合にはＧＰＳ部６２の電源をオンして位置情報を取得してデジタルカメラ１０に送信し、その後ＧＰＳ部６２の電源をオフする。【選択図】図１
2009225178.tif 000002
【特許請求の範囲】
【請求項１】
被写体を撮影する撮影手段と、
位置情報取得手段を備えた携帯端末から位置情報を取得するための通信手段と、
前記撮影手段により撮影された撮影画像と前記位置情報とを関連付けて記録する記録手段と、
第１の撮影モードが設定されている場合、前記撮影手段により撮影される毎に前記通信手段により前記位置情報を取得して撮影画像と関連付けて記録する第１の処理を実行し、前記第１の撮影モードと異なる第２の撮影モードが設定されている場合、前記第２の撮影モードが設定されてから前記撮影手段により最初に撮影された時に前記通信手段により前記位置情報を取得して撮影画像と関連付けて記憶させ、その後前記撮影手段により撮影される毎に前記最初に撮影された時に取得した位置情報を撮影画像と関連付けて記録する第２の処理を実行する制御手段と、
を備えた撮影装置。
【請求項２】
前記制御手段は、電源オフ前の撮影モードと現在の撮影モードとを比較し、両者が共に第２の撮影モードであり、かつ電源オフ前の日付と現在の日付とが一致している場合には、前記電源オフ前に取得した位置情報を撮影画像と関連付けて記憶することを特徴とする請求項１記載の撮影装置。
【請求項３】
前記制御手段は、電源オフ前の撮影モードと現在の撮影モードとを比較し、両者が共に第２の撮影モードであり、かつ電源オフ前の日付と現在の日付とが一致している場合以外の場合には、前記第１の処理又は前記第２の処理を実行することを特徴とする請求項１又は請求項２記載の撮影装置。
【請求項４】
前記制御手段は、前記携帯端末に前記位置情報を要求した後に電源スイッチがオフされた場合には少なくとも前記通信手段に電力を供給する省電力モードへ移行し、前記携帯端末から前記位置情報を取得した場合に前記省電力モードを解除することを特徴とする請求項１〜請求項３の何れか１項に記載の撮影装置。
【発明の詳細な説明】
【技術分野】
【０００１】
本発明は、撮影装置に係り、特に、位置情報を他の装置から取得する通信機能を備えた撮影装置に関する。
【背景技術】
【０００２】
従来、撮影場所の位置情報と撮影画像とを対応付けて記録する撮影装置が提案されている。例えば特許文献１には、ＧＰＳ受信機等の位置情報取得手段を備えた携帯端末から位置情報を取得し、これと撮影画像とを対応付けて記録する撮影装置が提案されている。
【特許文献１】特開２００１−２８７０４号公報
【発明の開示】
【発明が解決しようとする課題】
【０００３】
しかしながら、上記特許文献１に記載された撮影装置では、撮影する毎に携帯端末から位置情報を取得するため、撮影する毎に携帯端末の電力を消費してしまうと共に、撮影装置も携帯端末との通信により電力を消費してしまう、という問題があった。
【０００４】
本発明は、上述した課題を解決するために提案されたものであり、無駄な電力消費を抑制することができる撮影装置を提供することを目的とする。
【課題を解決するための手段】
【０００５】
上述した課題を解決するため、請求項１記載の発明は、被写体を撮影する撮影手段と、位置情報取得手段を備えた携帯端末から位置情報を取得するための通信手段と、前記撮影手段により撮影された撮影画像と前記位置情報とを関連付けて記録する記録手段と、第１の撮影モードが設定されている場合、前記撮影手段により撮影される毎に前記通信手段により前記位置情報を取得して撮影画像と関連付けて記録する第１の処理を実行し、前記第１の撮影モードと異なる第２の撮影モードが設定されている場合、前記第２の撮影モードが設定されてから前記撮影手段により最初に撮影された時に前記通信手段により前記位置情報を取得して撮影画像と関連付けて記憶させ、その後前記撮影手段により撮影される毎に前記最初に撮影された時に取得した位置情報を撮影画像と関連付けて記録する第２の処理を実行する制御手段と、を備えたことを特徴とする。
【０００６】
この発明によれば、第１の撮影モードと第２の撮影モードとで処理を異ならせている。ここで、第１の撮影モードは、撮影毎に撮影場所（位置）が異なる可能性が比較的高い撮影モードであり、第２の撮影モードは、撮影毎に撮影場所が同じである可能性が比較的高い撮影モードである。
【０００７】
第１の撮影モードの場合には、撮影毎に位置情報を取得して撮影画像と関連付けて記憶し、第２の撮影モードの場合には、最初の撮影時に取得した位置情報を２枚目以降の撮影画像と関連付けて記憶する。これにより、無駄な電力消費を抑制することができる。
【０００８】
なお、請求項２に記載したように、前記制御手段は、電源オフ前の撮影モードと現在の撮影モードとを比較し、両者が共に第２の撮影モードであり、かつ電源オフ前の日付と現在の日付とが一致している場合には、前記電源オフ前に取得した位置情報を撮影画像と関連付けて記憶するようにしてもよい。これにより、より無駄な電力消費を抑制することができる。
【０００９】
また、請求項３に記載したように、前記制御手段は、電源オフ前の撮影モードと現在の撮影モードとを比較し、両者が共に第２の撮影モードであり、かつ電源オフ前の日付と現在の日付とが一致している場合以外の場合には、前記第１の処理又は前記第２の処理を実行するようにしてもよい。これにより、撮影画像に誤った位置情報が関連付けられるのを防ぐことができる。
【００１０】
また、請求項４に記載したように、前記制御手段は、前記携帯端末に前記位置情報を要求した後に電源スイッチがオフされた場合には少なくとも前記通信手段に電力を供給する省電力モードへ移行し、前記携帯端末から前記位置情報を取得した場合に前記省電力モードを解除するようにしてもよい。これにより、より無駄な電力消費を抑制することができる。
【発明の効果】
【００１１】
本発明によれば、無駄な電力消費を抑制することができる、という効果を有する。
【発明を実施するための最良の形態】
【００１２】
以下、本発明を実施するための最良の形態について、図面を参照しながら詳細に説明する。
【００１３】
（第１実施形態）
【００１４】
本実施形態に係るデジタルカメラについて説明する。図１に示すように、デジタルカメラ１０は、撮影部１２、画像処理部１４、画像記録部１６、メモリ１８、表示部２０、操作部２２、通信インタフェース（Ｉ／Ｆ）２４、電源制御部２６、電源２８、及びカメラ制御部３０を含んで構成されている。
【００１５】
撮影部１２は、撮影レンズ、絞り、撮像素子であるＣＣＤ、ズーム機構等を含んで構成される。撮影レンズから入射された被写体像はＣＣＤに結像され、このＣＣＤにより被写体像が電気信号に変換されることにより撮影画像がデジタル画像データとして得られる。
【００１６】
画像処理部１４は、撮影部１２により得られた撮影画像の画像データに対して例えばガンマ補正処理や色補正、ホワイトバランス調整、圧縮処理等の各種の画像処理を施す。
【００１７】
画像記録部１６は、画像処理部１４で画像処理された画像データを図示しないメモリカード等の記録媒体に記録する。
【００１８】
メモリ１８は、各種のパラメータや処理プログラム等を記憶する不揮発性メモリやワークメモリとしてのＲＡＭ等を含んで構成されている。
【００１９】
表示部２０は、例えば液晶表示装置等により構成され、電子ファインダとしてスルー画像を表示したり、各種メニュー画面や撮影済みの画像を表示したりすることができる。
【００２０】
操作部２２は、電源スイッチやシャッターボタン、撮影モードを切り替えるための撮影モード切替ダイヤル、表示部２０に表示されたメニューから所望の設定操作を行うための十字キー等の各種の操作ボタンや操作キー等を含んで構成される。
【００２１】
通信Ｉ／Ｆ２４は、携帯端末５０と通信するためのインタフェースである。本実施形態では、通信Ｉ／Ｆ２４は、無線通信のインタフェースとして説明するが、有線通信のインタフェースとしてもよい。
【００２２】
電源制御部２６は、デジタルカメラ１０の各部に電力を供給する電源２８を制御する。電源２８は、電源制御部２６からの指示により、デジタルカメラ１０の各部に電源を供給する。
【００２３】
カメラ制御部３０は、上記の各部を統括制御する。デジタルカメラ１０は、省電力モードにより動作することが可能であり、省電力モードが設定された場合には、電源制御部２６は、操作部２２及び通信Ｉ／Ｆ２４に電力を供給し、その他の各部への電力供給をオフするように電源２８を制御する。
【００２４】
そして、例えば操作部２２の電源スイッチが操作された場合や通信Ｉ／Ｆ２４により携帯端末５０からデータを受信した場合には省電力モードを解除する。すなわち、省電力モードにより電力供給をオフしていた各部への電力供給を再開し、通常モードへ復帰する。
【００２５】
携帯端末５０は、例えば携帯電話等の携帯型の情報通信端末である。本実施形態では、携帯端末５０が携帯電話である場合について説明する。
【００２６】
図１に示すように、携帯端末５０は、操作部５２、通信Ｉ／Ｆ５４、表示部５６、メモリ５８、基地局通信部６０、ＧＰＳ部６２、電源制御部６４、電源６６、及び携帯制御部６８を含んで構成されている。
【００２７】
操作部５２は、電源スイッチやテンキー、十字キー等の各種の操作ボタンや操作キー等を含んで構成される。
【００２８】
通信Ｉ／Ｆ５４は、デジタルカメラ１０と通信するためのインタフェースであり、デジタルカメラ１０の通信Ｉ／Ｆ２４と同一の通信プロトコルによる通信を可能とするインタフェースである。
【００２９】
表示部５６は、例えば液晶表示装置等により構成され、各種メニュー画面や処理状況等の各種画像が表示される。
【００３０】
メモリ５８は、各種のパラメータや処理プログラム等を記憶する不揮発性メモリやワークメモリとしてのＲＡＭ等を含んで構成されている。
【００３１】
基地局通信部６０は、アンテナを含み、通話やメール通信、ウェブ通信を行うために携帯電話の基地局と無線通信を行う。
【００３２】
ＧＰＳ部６２は、ＧＰＳ（Ｇｌｏｂａｌ  Ｐｏｓｉｔｉｏｎｉｎｇ  Ｓｙｓｔｅｍ）衛星との通信により携帯端末５０の現在位置を取得する。
【００３３】
電源制御部６４は、携帯端末５０の各部に電力を供給する電源６６を制御する。電源６６は、電源制御部６４からの指示により、携帯端末５０の各部に電源を供給する。また、電源制御部６４は、例えばデジタルカメラ１０から位置情報の取得が指示された場合には、ＧＰＳ部６２に電源が供給されるように電源６６を制御し、取得した位置情報をデジタルカメラ１０に送信した後にＧＰＳ部６２への電源供給がオフされるように電源６６を制御する。携帯制御部６８は、上記の各部を統括制御する。
【００３４】
次に、本実施形態の作用として、デジタルカメラ１０及び携帯端末５０で実行される処理について説明する。
【００３５】
まず、デジタルカメラ１０のカメラ制御部３０で実行される撮影処理について図２に示すフローチャートを参照して説明する。
【００３６】
本実施の形態では、デジタルカメラ１０は、一例として風景モード、ポートレートモード、スポーツモード、夜景モードが設定可能である場合について説明する。
【００３７】
また、これらの撮影モードを第１の撮影モードと第２の撮影モードとに分類する。第１の撮影モードは、撮影毎に撮影場所（位置）が異なる可能性が比較的高い撮影モードであり、第２の撮影モードは、撮影毎に撮影場所が同じである可能性が比較的高い撮影モードである。本実施形態においては、第１の撮影モードは、風景モード、ポートレートモードであり、第２の撮影モードは、スポーツモード、夜景モードとする。
【００３８】
図２に示す処理は、デジタルカメラ１０の電源スイッチがオンされ、操作部２２の撮影モード切替ダイヤルにより第１の撮影モード、すなわち風景モード又はポートレートモードが設定されている場合に実行される。また、デジタルカメラ１０の撮影モードが変更された場合に図２に示す処理が終了する。
【００３９】
まず、ステップ１００では、操作部２２のシャッターボタンが押下されたか否かを判断する。そして、シャッターボタンが押下された場合はステップ１０２へ移行し、シャッターボタンが押下されていない場合にはステップ１２４へ移行する。
【００４０】
ステップ１０２では撮影処理を実行するべく撮影部１２を制御する。これにより、被写体像がＣＣＤに結像され、これがデジタルデータに変換されて画像処理部１４により所定の画像処理が施される。
【００４１】
ステップ１０４では、画像記録部１６に指示し、撮影画像の画像データを図示しないメモリカード等の記録媒体に記録させる。
【００４２】
ステップ１０６では、現在位置の位置情報を通信Ｉ／Ｆ２４を介して携帯端末５０へ要求する。なお、位置情報は、例えば緯度、経度に関する情報を含むことができるが、これに限られるものではなく、住所等の情報でもよい。
【００４３】
ステップ１０８では、携帯端末５０から位置情報を取得したか否かを判断する。そして、位置情報を取得していない場合にはステップ１１０へ移行し、位置情報を取得した場合にはステップ１１４へ移行する。
【００４４】
ステップ１１０では、電源スイッチがオフされたか否かを判断する。そして、電源スイッチがオフされた場合にはステップ１１２へ移行し、電源スイッチがオンのままの場合には、ステップ１０８へ移行する。
【００４５】
ステップ１１２では、省電力モードへ移行するべく、電源スイッチ及び通信Ｉ／Ｆ２４にのみ電力が供給されるように電源制御部２６に指示する。これにより、電源制御部２６は、電源スイッチ及び通信Ｉ／Ｆ２４にのみ電力が供給されるように電源２８を制御する。このように、位置情報を取得する前に電源スイッチがオフされた場合には、省電力モードへ移行する。
【００４６】
一方、位置情報を取得してステップ１１４へ移行した場合、ステップ１１４では、現在省電力モードであるか否かを判断する。すなわち、位置情報を取得する前に電源スイッチがオフされた状態であるか否かを判断する。そして、省電力モードである場合にはステップ１１６へ移行し、省電力モードでなく通常モードの場合には、ステップ１２２へ移行する。
【００４７】
ステップ１１６では、省電力モードを解除するべく、電源スイッチ及び通信Ｉ／Ｆ２４以外の各部へ電力が供給されるように電源制御部２６に指示する。これにより、電源制御部２６は、電源スイッチ及び通信Ｉ／Ｆ２４以外の各部に電力が供給されるように電源２８を制御する。
【００４８】
ステップ１１８では、携帯端末５０から取得した位置情報とステップ１０４で記録した撮影画像とを関連付けてメモリカード等の記録媒体に記録する。これにより、どの場所で撮影した画像かを知ることができる。
【００４９】
ステップ１２０では、電源をオフするよう電源制御部２６に指示する。これにより、電源制御部２６は、デジタルカメラ１０の各部への電力供給が停止されるように電源２８を制御する。
【００５０】
このように、位置情報を取得する前に電源スイッチがオフされた場合には、自動的に省電力モードへ移行し、位置情報を取得して撮影画像と関連付けて記憶してから電源をオフするので、無駄な電力を消費するのを防ぐことができる。
【００５１】
一方、省電力モードでなかった場合、すなわち電源スイッチがオフされていない場合には、ステップ１２２において、ステップ１１８と同様の処理が行われ、ステップ１２４へ移行する。
【００５２】
ステップ１２４では、電源スイッチがオフされたか否かを判断する。そして、電源スイッチがオフされた場合にはステップ１２６へ移行し、電源スイッチがオフされていない場合にはステップ１００へ戻って上記と同様の処理を繰り返す。
【００５３】
ステップ１２６では、ステップ１２０と同様に電源をオフするよう電源制御部２６に指示する。
【００５４】
次に、第２の撮影モード、すなわちスポーツモード、夜景モードが設定されている場合にカメラ制御部３０で実行される処理について、図３に示すフローチャートを参照して説明する。なお、図２と同一の処理を行うステップについては同一符号を付し、その詳細な説明は省略する。
【００５５】
図３に示す処理が図２に示す処理と異なるのは、ステップ１２８〜ステップ１３４の部分が追加されている点である。ステップ１２８〜ステップ１３４の処理は、２回目以降の撮影に関する処理である。すなわち、第２の撮影モードでの処理は、第１の撮影モードでの処理と比較して、２回目以降の撮影に関する処理が異なる。
【００５６】
ステップ１２８〜１３２は、ステップ１００〜１０４の処理と同一である。ステップ１３４は、１枚目の撮影時に取得した位置情報とステップ１３２で記録した撮影画像とを関連付けてメモリカード等の記録媒体に記録する。
【００５７】
すなわち、撮影毎に撮影場所が同じである可能性が比較的高い撮影モードであるスポーツモード、夜景モードが設定されている場合には、撮影毎に位置情報を携帯端末５０へ要求するのではなく、１枚目の撮影時にのみ位置情報を要求し、この時に取得した位置情報を２枚目の撮影画像と関連付けてメモリカード等の記録媒体に記録する。これにより、撮影毎に携帯端末５０と通信する必要がなく、無駄な電力消費を抑制することができる。
【００５８】
次に、携帯端末５０の携帯制御部６８で実行される処理について、図４に示すフローチャートを参照して説明する。なお、この処理は、携帯端末５０の電源がオンされると実行される。なお、電源オンされた状態では、ＧＰＳ部６２には電力は供給されていないものとする。
【００５９】
まず、ステップ２００では、デジタルカメラ１０から位置情報要求を通信Ｉ／Ｆ５４を介して受信したか否かを判断する。そして、デジタルカメラ１０から位置情報要求を受信した場合にはステップ２０２へ移行し、デジタルカメラ１０から位置情報を受信していない場合には、受信するまで待機する。
【００６０】
ステップ２０２では、ＧＰＳ部の電源をオンするように電源制御部６４に指示する。これにより、電源制御部６４は、ＧＰＳ部６２に電力が供給されるように電源６６を制御する。
【００６１】
ステップ２０４では、ＧＰＳ衛星から送信されたデータに基づいて位置情報を取得するようＧＰＳ部６２に指示する。これにより、ＧＰＳ部６２は、ＧＰＳ衛星から送信されたデータに基づいて緯度、経度、高度等の現在位置に関する情報を演算する。
【００６２】
ステップ２０６では、得られた位置情報を通信Ｉ／Ｆ５４を介してデジタルカメラ１０へ送信する。
【００６３】
ステップ２０８では、ＧＰＳ部の電源をオフするように電源制御部６４に指示する。これにより、電源制御部６４は、ＧＰＳ部６２へ電力の供給が停止されるように電源６６を制御する。
【００６４】
このように、デジタルカメラ１０から位置情報を要求された場合にＧＰＳ部６２の電源をオンし、位置情報をデジタルカメラ１０に送信した後にＧＰＳ部６２の電源をオフするので、無駄な電力消費を抑えることができる。
【００６５】
以上のように、本実施形態では、撮影毎に撮影場所が異なる可能性が比較的高い第１の撮影モードでは、撮影する毎に携帯端末５０から位置情報を取得し、取得した位置情報と関連付けて撮影画像を記録する。これにより、どの場所で撮影した画像であるのかを容易に知ることができる。また、位置情報を取得する前に電源スイッチがオフされた場合には、省電力モードへ移行し、位置情報を取得して撮影画像と共に記録してから自動的に電源をオフするので、位置情報を取得できずに撮影画像のみが記録されてしまうのを防ぐことができると共に、無駄な電力消費を抑えることができる。
【００６６】
一方、撮影毎に撮影場所が同じである可能性が比較的高い第２の撮影モードであるスポーツモード、夜景モードが設定されている場合には、撮影毎に位置情報を携帯端末５０へ要求するのではなく、１枚目の撮影時にのみ位置情報を要求し、この時に取得した位置情報を２枚目の撮影画像と関連付けてメモリカード等の記録媒体に記録する。これにより、撮影毎に携帯端末５０と通信する必要がなく、無駄な電力消費を抑制することができる。また、携帯端末５０側においても、撮影毎にＧＰＳ部６２を動作させずに済むので、無駄な電力消費を抑制することができる。
【００６７】
（第２実施形態）
【００６８】
次に、本発明の第２実施形態について説明する。第２実施形態では、前回の撮影モードと今回の撮影モード、各々の撮影モードの日付に基づいて、位置情報を取得するか否かを決定する場合について説明する。なお、第１実施形態と同一部分には同一符号を付し、その詳細な説明は省略する。
【００６９】
本実施形態では、デジタルカメラ１０は、電源スイッチがオフされた場合に、その時の撮影モード及び日付の情報をメモリ１８に記憶しておく。
【００７０】
図５には、デジタルカメラ１０のカメラ制御部３０で実行される撮影処理のフローチャートを示した。
【００７１】
まず、ステップ３００では、前回の撮影モード及び日付、すなわち前回の電源オフ時に設定されていた撮影モード及び電源オフ時の日付をメモリ１８から読み出す。
【００７２】
ステップ３０２では、読み出した前回の撮影モードと現在設定されている撮影モードとが同一であるか否かを判断する。そして、前回の撮影モードと現在の撮影モードとが同一である場合にはステップ３０４へ移行し、同一でなければステップ３１０へ移行する。
【００７３】
ステップ３０４では、前回の撮影モード及び今回の撮影モードが第２の撮影モードであるか否かを判断する。そして、前回の撮影モード及び今回の撮影モードが第２の撮影モードである場合にはステップ３０６へ移行し、前回の撮影モード及び今回の撮影モードが第２の撮影モードでない場合、すなわち第１の撮影モードである場合にはステップ３０８へ移行する。
【００７４】
ステップ３０８では、ＧＰＳ非検出モードでの撮影処理を実行する。このＧＰＳ非検出モードでは、例えば図３のステップ１２４〜１３４の処理を実行する。この場合、ステップ１３２の処理は、前回の電源オフ前の撮影において取得した位置情報を撮影画像と関連付けて記憶すればよい。
【００７５】
一方、ステップ３１０では、ＧＰＳ検出モードでの撮影処理を実行する。このＧＰＳ検出モードでは、例えば図２に示した処理と同様の処理を実行することができる。すなわち、撮影毎に位置情報を取得して撮影画像と関連付けて記憶する処理である。なお、ステップ３０６で否定された場合、すなわち前回の撮影モード及び現在の撮影モードが同じ第２の撮影モードであり、日付だけが異なる場合には、図３と同様の処理を実行するようにしてもよい。
【００７６】
このように、前回の撮影モードと現在の撮影モードが同じ第２の撮影モードであっても、日付が異なる場合には、別の撮影場所で撮影される可能性が高いためＧＰＳ検出モードで処理する。これにより、撮影画像に誤った位置情報が関連付けられるのを防ぐことができる。また、前回の撮影モードと現在の撮影モードが同じ第２の撮影モードであって日付も同じ場合には、撮影場所が同じである可能性が高いため前回の電源オフ前の撮影において取得した位置情報を撮影画像と関連付けて記憶する。これにより、無駄な電力を消費をより抑制することができる。
【００７７】
なお、上記各実施形態では、携帯端末５０は位置情報のみをデジタルカメラ１０に送信する場合について説明したが、これに限らず、位置情報に対応した地図情報を取得し、これを位置情報と共にデジタルカメラ１０に送信するようにしてもよい。地図情報の取得は、例えば基地局通信部６０を介して位置情報を外部の地図情報提供サイトに送信し、送信した位置情報に対応する地図情報を受信することで得ることが可能である。この場合、デジタルカメラ１０では、撮影画像と関連付けて位置情報及び地図情報をメモリカード等の記録媒体に記憶する。これにより、撮影場所を地図上で知ることが可能となる。
【００７８】
また、上記各実施形態においては、デジタルカメラに本発明を適用した場合について説明したが、これに限らず、デジタルビデオカメラにも本発明を適用可能であることはいうまでもない。
【図面の簡単な説明】
【００７９】
【図１】デジタルカメラ及び携帯端末の概略ブロック図である。
【図２】第１実施形態に係るデジタルカメラで実行される第１の撮影モードにおける制御ルーチンのフローチャートである。
【図３】第１実施形態に係るデジタルカメラで実行される第２の撮影モードにおける制御ルーチンのフローチャートである。
【図４】第１実施形態に係る携帯端末で実行される制御ルーチンのフローチャートである。
【図５】第２実施形態に係るデジタルカメラで実行される制御ルーチンのフローチャートである。
【符号の説明】
【００８０】
１０      デジタルカメラ
１２      撮影部（撮影手段）
１４      画像処理部
１６      画像記録部（記録手段）
１８      メモリ
２０      表示部
２２      操作部
２４      通信Ｉ／Ｆ（通信手段）
２６      電源制御部
２８      電源
３０      カメラ制御部（制御手段）
５０      携帯端末
５２      操作部
５４      通信Ｉ／Ｆ
５６      表示部
５８      メモリ
６０      基地局通信部
６２      ＧＰＳ部（位置情報取得手段）
６４      電源制御部
６６      電源
６８      携帯制御部
【図１】
2009225178.tif 000003
【図２】
2009225178.tif 000004
【図３】
2009225178.tif 000005
【図４】
2009225178.tif 000006
【図５】
2009225178.tif 000007